(57)【要約】      （修正有）【課題】両手が自由になる釣竿固定具を提供する。【解決手段】釣竿固定具は、第１保持部２０１と第２保持部２０２とからなる。この２つ部材で釣竿１０７を支え、人は両手が自由になる。第１保持部２０１は、ベルトに固定される。釣竿１０７の先端を保持する。ベルト１０５でなくともジャケット１０１、ズボンに固定してもよい。普段は、外しておくことができ、別途保管できる。第２保持部２０２は、ジャケット１０１の胸の位置に固定される。脱着式であり普段は外しておくことができる。これら２つの部材により、釣竿１０７をジャケット１０１、ベルト１０５に固定できる。【選択図】図１
0003182909.tif 000002
【実用新案登録請求の範囲】
【請求項１】
棒状体の先端をその底面で支える中空の柱状の第１保持部と、
前記棒状体の途中を支える筒状の第２保持部とからなら棒状体の固定具。
【請求項２】
前記第２保持部は、
筒状の本体部と、
前記本体部に対して回転し、前記棒状体の脱着を制御する回転部と、からなる請求項１記載の棒状体の固定具。
【請求項３】
前記本体部と前記回転部には、前記回転を規制する部材が設けられている請求項２記載の棒状体の固定具。
【請求項４】
前記回転部は、前記本体部にはめ込まれる筒状部と、前記筒状部の上部のＵ字型部からなる請求項２または３記載の棒状体の固定具。
【請求項５】
前記第１保持部は、前記棒状体を支える柱状部と、前記柱状部の裏面に接合部を有する請求項１から４のいずれか１項に記載の棒状体の固定具。
【請求項６】
前記柱状部内面に弾性体を設けた請求項５記載の棒状体の固定具。
【請求項７】
前記第２保持部の筒状の内面に弾性体を設けた請求項１から６のいずれか１項に記載の棒状体の固定具。
【請求項８】
前記第２保持部は、その上部に突起状の挿入部を有する請求項１から７のいずれか１項に記載の棒状体の固定具。
【請求項９】
前記第２保持部は、前記本体の裏面に接合部を有し、被固定物との間で脱着可能である請求項１から８のいずれか１項に記載の棒状体の固定具。
【請求項１０】
前記第１保持部は、前記本体の裏面に前記接合部を有し、被固定物との間で脱着可能である請求項５から９のいずれか１項に記載の棒状体の固定具。
【考案の詳細な説明】
【技術分野】
【０００１】  釣竿の固定具に関する。
【背景技術】
【０００２】  図４で、従来の釣竿固定具を説明する（特許文献１）。図４は、人が着るジャケット１０１の斜視図である。釣竿を通す筒１０３と筒１０３をジャケット１０１に固定する固定部１０２とを有する。この筒１０３に釣竿を通して、竿を片手で保持し、釣りを楽しむものである。
【先行技術文献】
【特許文献】
【０００３】
【特許文献１】特開２００１−３７３９１号公報
【考案の概要】
【考案が解決しようとする課題】
【０００４】  しかし、従来の竿固定具では、竿を１箇所で固定するだけであり、安定性にかけていた。両手を離すことが困難であった。
本願考案では、両手が自由になる竿固定具を実現することを課題とする。
【課題を解決するための手段】
【０００５】  上記課題を解決するため、竿の先端をその底面で支える柱状の第１保持部と、前記竿の途中を支える筒状の第２保持部とからなら竿固定具を用いる。
【考案の効果】
【０００６】  本願考案の竿固定具では、第１保持部と、第２保持部とで竿を支えるので、両手が自由になる。両手で、釣りの準備など他の作業ができる。
【図面の簡単な説明】
【０００７】
【図１】実施形態の釣竿固定具を示す図
【図２】実施形態の釣竿固定具の第１保持部を示す図
【図３】（ａ）〜（ｄ）実施形態の釣竿固定具の第２保持部を示す図
【図４】従来の竿固定具を示す斜視図
【考案を実施するための形態】
【０００８】（実施の形態１）
図１において、本願考案の釣竿固定具を説明する。本願考案の釣竿固定具は、第１保持部２０１と第２保持部２０１とからなる。この２つ部材で釣竿１０７を支える。人は、両手が自由になる。
【０００９】  第１保持部２０１は、ベルトに固定される。釣竿１０７の先端を保持する。ベルト１０５でなくともジャケット１０１、ズボンに固定してもよい。普段は、外しておくことができ、別途保管できる。第２保持部２０２は、ジャケット１０１の胸の位置に固定される。脱着式であり普段は外しておくことができる。これら２つの部材により、釣竿１０７をジャケット１０１、ベルト１０５に固定できる。以下それぞれを詳細に説明する。
【００１０】  図２は、第１保持部２０１を示す。本体部２０３とリング部２０４とからなる。本体部２０３は、円筒型であり、コップのように底があり、底で釣竿１０７の端部を保持する。円筒の内部で釣竿１０７の先端の側面を保持する。円筒でなくとも柱状ならよい。
リング部２０４は、リング状で輪を有し、ベルトなどを通し、第１保持部２０１が固定される。リング状でなくとも、ベルトに固定できるものならよい。紐でもよい。ズボンのベルトを通す部分に固定してもよい。ジャケットの一部に固定してもよい。それぞれに合った形状に、リング部２０４は変形される。
必須ではないが、本体２０３の内側上部には、弾性体２３１が設けられている。ゴムシートなどである。釣竿１０７をしっかりと固定できる。内側全体でなく、少なくとも、内側の最上部に弾性体２３１があればよい。
【００１１】  図３（ａ）〜（ｄ）で、第２保持部２０２を説明する。図３（ａ）は、第２保持部２０２の斜視図である。釣竿を固定する前の状態である。図３（ｂ）は、第２保持部２０２の斜視図である。釣竿を固定した状態である。図３（ｃ）は、第２保持部２０２の側面図である。図３（ｄ）は、第２保持部２０２の正面図である。
【００１２】  第２保持部２０２は、挿入部２０６と、保持部２０７と、ガイド部２１２と、凸部２１１と、固定部２０９と、回転部２０８とからなる。
【００１３】  挿入部２０６は、ジャケット１０１の固定部２１５に挿入され、第２保持部２０２をジャケット１０１に固定するものである。固定部２１５は、この場合、単なるひも状のものが、ジャケット１０１に設けられている。その開口部に、挿入部２０６が入れられる。挿入部２０６は、保持部２０７の上部に位置し、第２保持部２０７の上部を固定する。下部には、第１保持部２０７があり、両者で、第２保持部２０２をジャケット１０１に保持する。
【００１４】  保持部２０７は、第２保持部２０２をジャケット１０１に保持する中心のものである。板状で一方面に固定部２０９を有し、他方の面に、接合部２３０を有する。接合部２３０は１例として、マジックテープ（商標）などがある。その他、ワンタッチで取り外しできるものであればよい。ジャケット１０１側にもマジックテープ（商標）を付けてある。ポイントは、第２保持部２０２の上方、下方の２箇所で、ジャケット１０１へ保持することである。
【００１５】  固定部２０９は、釣竿を支える中心の部材であり、円柱状で、その側面の一部が開口２２０されている。この開口２２０から釣竿が入れられる。その裏面に保持部２０７を有し、上部に回転部２０８を有する。
【００１６】  回転部２０８は、固定部２０９の上部に位置し、固定部２０９に対して回転できる。釣竿が固定部２０９に挿入後、回転し、釣竿がはずれないようにするものである。
回転部２０８の内側には、弾性体２３１を設けるとよい。少なくとも内面の最上端に設けるとよい。釣竿１０７をしっかり固定できる。
【００１７】  上部は、馬蹄形状で、Ｕ字形状である。回転することで釣竿の脱着を可能とする。下部は、円筒状の筒で、一部が開口されている。円筒状の固定部２０９に挿入されて、適度に遊びがあるように組み合わされる。円筒状同士の間が接触面となり、この接触面がすべり、両者の相対位置が変わる。
【００１８】  ガイド部２１２は、固定部２０９にあり、下記の凸部２１１の移動を制御するものである。回転部２０８と固定部２０９との遊びを少なくし、相対移動をスムーズにするためのものである。
ガイド部２１２は、この例では、回転部２０８の回転方向へ長い伸びた直方体形状の開口である。その内側を、回転部２０８の凸部２１１が移動する。凸部と開口が逆に位置してもよい。
ガイドと凸部に限らず、回転部２０８と固定部２０９との相対的な移動を規制するものならよい。レールとボールなどを用いることもできる。レールとレール、溝でもよい。
【００１９】  凸部２１１は、回転部２０８に設けられ、上記ガイド部２１２に従って移動するものである。
【００２０】  図３（ｂ）は、図３（ａ）から、回転部２０８が回転した状態である。釣竿を第２保持部２０２に挿入後、釣竿が離れないように固定するためである。ワンタッチで脱着ができる。
図３（ｃ）で、ジャケット１０１には、開口を有する固定部２１５があり、その開口に、挿入部２０６が挿入され、第２保持部２０２が固定される。
この第１保持部２０１、第２保持部２０２ともジャケット１０１に脱着可能であり、普段ははずしておける。本願考案では、第１保持部２０１への釣竿を導入と、回転部２０８の回転だけで、脱着が容易にできる。上記、第１保持部２０１、第２保持部２０２とは樹脂成形でできる。ただし、凸部２１１は金属の突起とした方が、破損なく安定する。
ここで、上記例では釣竿で説明したが、この考案は、棒状体を人に固定する場合に使用できる。
【００２１】
【産業上の利用可能性】
【００２２】    釣竿、旗、広告用の竿などの棒状体のものを人に固定する場合に広く使用できる。
【符号の説明】
【００２３】１０１  ジャケット
１０２  固定部
１０３  筒
１０５  ベルト
１０７  釣竿
２０１  第１保持部
２０２  第２保持部
２０３  本体
２０４  リング部
２０６  挿入部
２０７  保持部
２０８  回転部
２０９  固定部
２１１  凸部
２１５  固定部
２２０  開口
２３０  接合部
２３１  弾性体
【図１】
0003182909.tif 000003
【図２】
0003182909.tif 000004
【図３】
0003182909.tif 000005
【図４】
0003182909.tif 000006